Podtech/llm-jp-corpus-v4-ja_patent huggingface dataset:
(57)【要約】【課題】  従来の透析抜針漏血感知センサでは、電極２，３と枝電極４，５が導通するまでに時間が掛かり、透析針が抜けた後の抜けを検出するまでの時間が長すぎるという問題があった。【解決手段】  本発明の実施例の針抜け防止装置では、透析針７，８はそれぞれ中間に超音波振動子９，１０を装着され、透析針７，８の一端はそれぞれ透析機１１に接続され、他端は血管１２に挿入され、超音波振動子９，１０はそれぞれ振動検出装置１３に接続されている。  【選択図】図１
2009297403.tif 000002
【特許請求の範囲】
【請求項１】
超音波振動子を装着した人工透析機に接続される透析針と、前記超音波振動子に接続され、前記超音波振動子に伝達される血管に流れる血流による振動を検出する振動検出装置とからなり、前記血流の振動を前記振動検出装置により検出し、前記血流の振動の乱れ又は無検出により、前記透析針の血管からの抜けを検出することを特徴とする針抜け防止装置。
【請求項２】
前記透析針の先端内部に前記超音波振動子を装着したことを特徴とする請求項１記載の針抜け防止装置。
【請求項３】
前記２つの透析針の一方の超音波振動子を前記透析針の中間に装着し、他方の透析針の超音波振動子を先端近傍に装着することを特徴とする請求項１記載の針抜け防止装置。
【発明の詳細な説明】
【技術分野】
【０００１】
本発明は、透析針の血管からの抜けを防止することができる針抜け防止装置に関するものである。
【背景技術】
【０００２】
従来、図４に示すように、透析抜針漏血感知センサは、吸水基材１の表面に電極２、３が平行に装着され、それらの電極２，３の間に多数の枝電極４、５が電極２，３から互いの電極近傍に突出して装着され、電極２，３はセンサ回路に接続されているものが提案されている。
【０００３】
このように構成された透析抜針漏血感知センサは、透析針６の近傍に置かれ、血管に刺されていた透析針６が血管から抜けた場合に、漏れた血液で吸水基材１が濡れ、電極２，３と枝電極４，５の間が導通することによって、その導通をセンサ回路が検出し、センサ回路内に装着されたブザーで報音するものであるが、透析針６が血管から抜けて血液が吸水基材に浸透し、さらに、電極２，３と枝電極４，５が導通するまでに時間が掛かり、透析針が抜けた後の抜けを検出するまでの時間が長すぎるという問題があった。
【特許文献１】特開２００６−５５５８８号
【発明の開示】
【発明が解決しようとする課題】
【０００４】
解決しようとする問題点は、従来の透析抜針漏血感知センサでは、電極２，３と枝電極４，５が導通するまでに時間が掛かり、透析針が抜けた後の抜けを検出するまでの時間が長すぎるという問題があった。
【課題を解決するための手段】
【０００５】
本発明では、  超音波振動子を装着した人工透析機に接続される透析針と、前記超音波振動子に接続され、前記超音波振動子に伝達される血管に流れる血流による振動を検出する振動検出装置とからなり、前記血流の振動を前記振動検出装置により検出し、前記血流の振動の乱れ又は無検出により、前記透析針の血管からの抜けを検出するものである。
【発明の効果】
【０００６】
本発明の針抜け防止装置では、血管に刺された透析針が抜けた場合、針抜けと同時に血流の振動が超音波振動子に伝達されなくなるので、即座に針抜けが検出されるという利点がある。
【発明を実施するための最良の形態】
【０００７】
本発明では、人工透析機に接続される透析針に超音波振動子を装着し、超音波振動子に接続された振動検出装置で超音波振動子に伝達される血管に流れる血流の振動を検出することにより、血流の振動の乱れ又は無検出により、透析針の血管からの針抜けを検出するものである。
【実施例】
【０００８】
図１は本発明の実施例の針抜け防止装置の構成図で、透析針７，８はそれぞれ中間に超音波振動子９，１０が装着され、透析針７，８の一端はそれぞれ透析機１１に接続され、他端は皮膚１４の下の血管１２に挿入され、超音波振動子９，１０はそれぞれ振動検出装置１３に接続されている。
【０００９】
このように構成された本実施例の針抜け防止装置では、まず、血管１２に挿入された透析針７，８が血管１２から抜けていない場合は、透析針７，８のそれぞれの超音波振動子９，１０に、図２で示すように、繰り返される血流からの振動Ａがそれぞれ伝達され、超音波振動子９，１０に伝達された血流の振動Ａは振動検出装置１３で検出される。
【００１０】
ここで、透析針７，８のいずれか一方が血管１２抜けた場合、振動検出装置１３で血流の振動が検出れさなくなるか、血流からの正常な振動が検出されなくなるので、この血流の振動の無検出又は血流の振動の乱れを振動検出装置１３で検出すると、すぐに振動検出装置１３から異常を知らせるブザー等が報音される。
【００１１】
図３は本発明の他の実施例の針抜け防止装置の構成図で、７は透析針、９は超音波振動子、１１は透析機、１２は血管、１３は振動検出装置で、これらの構成は上記実施例と同じであるので、説明は省略するが、本実施例では、超音波振動子９は透析針の先端近傍に装着されている。
【００１２】
このように構成された本実施例の針抜け防止装置では、透析針７の先端近傍に装着することにより、この透析針７を血管１２に挿入すると、血流からの振動が透析針７の超音波振動子９に直接伝達されるので、この超音波振動子９に伝達された血流の振動は振動検出装置１３で検出され、この透析針７の針抜けが生じた場合は、振動検出装置１３で血流からの振動が検出できなくなるので、振動検出装置１３に装着したブザー等で、透析針７の針抜けを即座に報知することができる。
【産業上の利用可能性】
【００１３】
なお、上記実施例において、透析針７，８の中間に超音波振動子９，１０を装着するか、透析針７，８の先端近傍の超音波振動子９，１０を装着したが、透析針７，８のいずれか一方の中間に超音波振動子を装着し、他方の透析針の先端に超音波振動子を装着しても良い。
【図面の簡単な説明】
【００１４】
【図１】本発明の実施例の針抜け防止装置の断面図である。
【図２】図１の超音波振動子で検出した血流の振動の波形図である。
【図３】本発明の他の実施例の針抜け防止装置の断面図である。
【図４】従来の透析抜針漏血感知センサの平面図である。
【符号の説明】
【００１５】
７、８            透析針
９，１０          超音波振動子
１１              透析機
１２              血管
１３              振動検出装置
１４              皮膚
【図１】
2009297403.tif 000003
【図２】
2009297403.tif 000004
【図３】
2009297403.tif 000005
【図４】
2009297403.tif 000006
(57)【要約】【課題】  スリッパのバンド部が足の指全てを一束に束ねる状態で使用されていた短い形状の爪先だち歩き健康スリッパを、大地をつかむ、指を広げて踏ん張るという足の指本来の重要な役目を履行する目的でスリッパのバンド部を弧状にカットして束ねられていた足の指をすべて解放した、外反拇趾の防止及び矯正スリッパを提供する。【解決手段】  形状が通常のスリッパの半分程度に短い爪先だち歩き健康スリッパのバンド部を、親指の付け根外部及び小指の付け根外部から、それぞれ親指の指又部に向けて弧状にカットし、スリッパ台部及びバンド部の親指指又部中央に設けた穴部に鼻緒紐を通し固定したことを特徴とする、外反拇趾の防止及び矯正スリッパ。【選択図】図１
2009297469.tif 000002
【特許請求の範囲】
【請求項１】
形状が通常のスリッパの半分程度に短い爪先だち歩き健康スリッパのバンド部を、親指の付け根外部及び小指の付け根外部からそれぞれ親指の指又部に向けて弧状にカットし、スリッパ台部及びバンド部の親指指又部中央に設けた穴部に鼻緒紐を通し固定したことを特徴とする外反拇趾の防止及び矯正スリッパ。
【発明の詳細な説明】
【技術分野】
【０００１】  本発明は、スリッパのバンド部が足の指全てを一束に束ねる状態で使用されていた短い形状の爪先だち歩き健康スリッパを、大地をつかむ、指を広げて踏ん張るという足の指本来の重要な役目を履行する目的でスリッパのバンド部を弧状にカットして束ねられていた指を解放した、外反拇趾の防止及び矯正スリッパに関するものである。
【背景技術】
【０００２】  従来、短い形状の健康スリッパは最大の特徴である爪先だち歩きを維持させるため、足の指はスリッパのバンド部により一束にしっかりと束ねられた状態で使用されていた。
【発明の開示】
【発明が解決しようとする課題】
【０００３】  そのために、歩くとき大地をつかむ、指を広げて踏ん張るという、その重要性が最近見直されている足の指本来の役目を履行することが出来なかった。
履き心地も少々不安定で窮屈であった。
本発明は以上の問題点を解決しようとするものである。
【課題を解決するための手段】
【０００４】  短い形状の爪先だち歩き健康スリッパのバンド部を、親指の付け根外部及び小指の付け根外部からそれぞれ親指の指又部に向けて弧状にカットし、スリッパの台部及びバンド部の親指指又部中央に設けた穴部に鼻緒紐を通し固定する。以上を特徴とする外反拇趾の防止及び矯正スリッパである。
【発明の効果】
【０００５】  デザイン重視で足には不具合なハイヒールの使用により、女性の外反拇趾罹患者は結構多いが、激しい痛みに悩まされながらも病院に行かないため症状が進行し外科手術が必要となる場合も少なくない。また近来、大人から子供にまで及ぶ足の変形の増加により、足の指本来の役目である大地をつかむ、指を広げて踏ん張るという行為の重要さが見直されています。
本発明のスリッパを履くことにより、爪先だち状態で大地をつかむ、指を広げて踏ん張るという行為が行われるため足の指、付け根部はしっかりと鍛えられて変形し始めの足は本来の正常な足へと戻る効果が期待できるのです。
従来の下駄やわらじは「足幅が広がり足の形が悪くなる」と敬遠されましたが、本発明は指の付け根まではしっかりと拘束されますのでその心配も無いのです。
また、本発明は履いているだけで効果が期待できるので病院へ通ったり、面倒なエクササイズに時間を費やす必要もないので変形初期で本発明スリッパを使用することにより外反拇趾への進行を防ぎ且つ正常に戻すことができるのです。
一日中靴を履いているサラリーマンも家で本発明スリッパを履くことで足の指は自由に解放され、その上爪先だちで歩くためメタボリック気味の人の下半身強化、足つぼの刺激による諸々の不健康の改善も期待できます。
【発明を実施するための最良の形態】
【０００６】以下、本発明の実施の形態を説明する。
（イ）短い形状の健康スリッパのバンド部の小指の付け根外部（１）から親指の指又部（２）に向かって、また親指の付け根外部（３）から親指の指又部（２’）に向かって弧状にカットする。
（ロ）スリッパのバンド部の親指の指又部中央に設けた穴部（４）と、スリッパ台部の親指の指又部中央に設けた穴部（５）に適度な太さの鼻緒紐を通して固定する。
本発明は以上のような構造で、下駄等を履く要領で使用する。
【図面の簡単な説明】
【０００７】
【図１】  本発明の平面図
【図２】  本発明の斜視図
【符号の説明】
【０００８】  １  小指の付け根外部
２  親指の指又部
２’親指の指又部
３  親指の付け根外部
４  バンド部の親指の指又部中央の穴部
５  台部の親指の指又部中央の穴部
６  バンド部
７  台部
８  鼻緒紐
【図１】
2009297469.tif 000003
【図２】
2009297469.tif 000004
(57)【要約】      （修正有）【課題】平面映像（二次元映像）から立体映像（三次元映像）へ。【解決手段】左右の球面鏡を直角に結合１すると光の屈折と反射の作用で左右の鏡面４に映像が正立体像で映る。横幅１６ｃｍの平面鏡を５度に曲げて球面鏡４にし、左右、同じ球面鏡を９０度（直角）３で結合する。【選択図】図１
2009297470.tif 000002
【特許請求の範囲】
【請求項１】
横幅１６ｃｍの平面鏡を５度に曲げて球面鏡にし、左右、同じ球面鏡を９０度（直角）で結合する。
【発明の詳細な説明】
【技術分野】
【０００１】鏡面の球状の度合いと、二面の結合の角度。
【背景技術】
【０００２】左右の球面鏡を直角に結合すると光の屈折と反射の作用で左右の鏡面に映像が正立体像で映る。
【特許文献１】
【非特許文献１】
【発明の開示】
【発明が解決しようとする課題】平面映像（二次元映像）から立体映像（三次元映像）へ。
【発明の効果】結合した左右の鏡面に映像が正立体像で映る。
【産業上の利用可能】
【図面の簡単な説明】１、結合部分
２、面鏡の隅みの映像の歪み防止
３、直角（９０度）
４、面鏡の映像面
2009297470.tif 000003
【手続補正書】
【提出日】平成20年7月26日(2008.7.26)
【手続補正２】
【補正対象書類名】明細書
【補正対象項目名】全文
【補正方法】変更
【補正の内容】
【発明の詳細な説明】
【技術分野】
【０００１】鏡面の球状の度合いと、左右の鏡の結合の角度。
【背景技術】
【０００２】左右の鏡面を直角（９０度）に結合すると光の屈折と反射の作用で左右の鏡面に映像が正立体像で映る。
【発明の開示】
【発明が解決しようとする課題】
【０００３】平面映像（二次元映像）から、立体映像（三次元映像）へ。
【課題を解決するための手段】
【０００４】厚さ２ｍｍのアクリル性の鏡面を左右５度の球面にし，それを直角（９０度）に結合。
【発明の効果】
【０００１】左右の鏡面に映像が立体にうつる。
【産業上の利用可能性】
【０００１】生産性が可能。
【図面の簡単な説明】
【０００１】
【図１】サイズ２６０ｍｍ×１８０ｍｍ×２ｍｍの鏡を二枚とも左右５度の球形にし、それを直角（９０度）に結合し、鏡面の映像の歪みを防止のため鏡面の周囲を覆う。
【符号の説明】
【０００１】１、結合部分２、鏡面の周囲の映像の歪み防止３、直角（９０度）４、鏡面の映像面
【手続補正３】
【補正対象書類名】図面
【補正対象項目名】全図
【補正方法】変更
【補正の内容】
【図１】
2009297470.tif 000004
(57)【要約】【課題】従来、子供は服を着るときのボタン掛けを嫌がり、ボタンの掛け違いをしても気付かず、気付いても敢えてボタンを掛け替えようとすることをしないことが多かった。【解決手段】子供にボタン掛けをすることに抵抗をなくし、むしろ、ボタン掛けすることに興味を持たせるためにボタンとボタン穴に絵柄を施し、ボタン掛けをすると一定の絵柄が完成することに楽しみを見出すようにした。【選択図】図1
2009297533.tif 000002
【特許請求の範囲】
【請求項１】
ボタンに絵柄の部分を形成し、また一方で、ボタン穴周辺に同一絵柄のボタンの絵柄以外の絵柄の部分を形成する。ボタンをボタン穴に通すと絵柄の全体が完成する。例えば、衣類のボタン表面にキャラクターの顔を印刷し、ボタン穴周辺に同一キャラクターの顔以外の胴体を印刷する。ボタンをボタン穴に通すとキャラクターの全身が完成する。
【請求項２】
ボタンに絵柄の部分を形成し、また一方で、ボタン穴周辺に同一絵柄を形成する。ボタンをボタン穴に通した時、ボタンの絵柄の部分とボタン穴周辺の絵柄の部分が重なりあうように設計する。例えば、衣類のボタン表面にキャラクターの顔を印刷し、ボタン周辺に同一キャラクターの全身を印刷する。ボタンをボタン穴に通した時、ボタン部分のキャラクターの顔とボタン穴周辺のキャラクターの顔が重なりあうように設計する。
【請求項３】
ボタン表面の絵柄およびボタン穴周辺の絵柄の配置を変更することができる。例えば、衣類の着脱当事者から見て絵柄が正体に見えるように絵柄を天地逆に配置する。絵柄を左右逆にしておけば鏡を利用して衣類の着脱をする時、鏡の絵柄は正体となる。ボタンのキャラクターは全部違うほうがよいが、少なくとも上下ボタンのキャラクターは違わなければならない。
【請求項４】
ボタンに絵柄の部分を形成し、それにマッチングする絵柄の部分をボタン周辺にプリント等できる素材とセットしておけば、自由に服にとり付けることができる。
【発明の詳細な説明】
【技術分野】
【０００１】
本発明は、子供が衣類の着用する時、ボタン掛けの練習をできるだけ楽しくおこない、また、間違ったボタン掛けをした場合には本人自らが間違いを認識し、掛け替えるようにしたものである。
【背景技術】
【０００２】
現在、子供服においてボタンの掛け違いに気が付き、違和感を覚えて自分からボタン掛けの修正をさせるようなものはない。
【０００３】
この改善策として、ボタン掛け後にそのボタンとボタン穴がマッチングしているのか、いないのかをその都度、確認できるようにした。マッチングしていないのであれば本人自らが違和感を覚え改めて掛け替えるようにした。
【発明の開示】
【発明が解決しようとする課題】
【０００４】
この発明は、子供が子供服を着るときにボタン掛けを苦にせず、むしろ楽しくなるよう仕向けるもので、仮にボタン掛けがミスマッチしていれば自らそれに気付き違和感を覚えて掛けなおすことを課題にしている。
【課題を解決するための手段】
【０００５】
子供服にキャラクターの顔を印刷したボタンとキャラクターの顔以外の胴体をボタン穴周辺に印刷しておけばボタンをボタンに通すとキャラクターの全身が完成するようにする。キャラクターは同じものがないようにするのが最良であるが少なくとも上下が同一のキャラクターでないようにする。
【発明の効果】
【０００６】
子供が服を着る時、ボタン掛けを苦にせず、ボタンの掛け違いをしたとき気付きやすく、自分で掛け替えようとする。
【発明を実施するための最良の形態】
【０００７】
ボタンにキャラクターの顔を印刷し、ボタン穴周辺にはキャラクターの顔以外の胴体を印刷しておき、ボタンをボタン穴に通すとキャラクターの全身が完成する。ボタンとボタン穴周辺の絵柄は服地に転写できる素材にしておけば他の服につけることができる。
【実施例１】
【０００８】
図1は、ボタンをはずしているところである。
【実施例２】
【０００９】
図2は、ボタンをはずしているところである。
【実施例３】
【００１０】
図3は、ボタンをボタン穴に通しているところである。
【産業上の利用可能性】
【００１１】
当発明は、子供服に限らずボタンとボタン穴を有する衣類については利用可能である。
【図面の簡単な説明】
【００１２】
【図１】ボタンとボタン穴の正面図(実施例１）
【図２】ボタンとボタン穴の正面図(実施例2）
【図３】ボタンをボタン穴に通した時の正面図（実施例3）
【符号の説明】
【００１３】
1.      
ボタン穴
2.      
キャラクターの顔を印刷したボタン
3.      
キャラクターの胴を印刷したボタン周辺
4.      
キャラクターの全身を印刷したボタン周辺
【図１】
2009297533.tif 000003
【図２】
2009297533.tif 000004
【図３】
2009297533.tif 000005
(57)【要約】【課題】炭酸カルシューム培焼時の炭酸ガスを海水に吹き込み、培焼した石灰を乳化して添加し、添加した石灰乳に相当する炭酸カルシュームの倍以上の炭酸カルシュームに固定化して除去することにより、炭酸ガスを排出せずに石灰が造れたり、海水に炭酸カルシューム培焼時の倍以上の炭酸ガスを吹き込めるシステムを提供することである。【解決手段】海水に石灰乳を添加して脱炭酸すると、海水中の炭酸ガス分が添加した石灰乳に相当する炭酸カルシューム量の倍以上の炭酸カルシュームが生成されることを利用して、海水に炭酸カルシューム培焼時の排ガスを吹込み、培焼した石灰の半量以下を乳化して海水に添加し、吸収された炭酸ガス分を炭酸カルシュームとして沈殿させて海水を元の炭酸ガス分含有量に戻して放流し、沈殿した炭酸カルシュームは再び培焼して、培焼した半量以上の石灰を他の炭酸ガス発生施設の脱炭酸ガス用に使うことが出来るようになる。【選択図】図１
2009297699.tif 000002
【特許請求の範囲】
【請求項１】
海水に石灰乳を添加して脱炭酸すると、海水中の炭酸ガス分が添加した石灰乳に相当する炭酸カルシューム量の倍以上の炭酸カルシュームが生成されることを利用して、海水に炭酸カルシューム培焼時の排ガスを吹込み、培焼した石灰の半量以下を乳化して海水に添加し、吸収された炭酸ガス分を炭酸カルシュームとして沈殿させて海水を元の炭酸ガス分含有量に戻して放流し、沈殿した炭酸カルシュームは再び培焼して、培焼した半量以上の石灰を他の炭酸ガス発生施設の脱炭酸ガス用に使うことによる炭酸ガス固定化除去システム。
【請求項２】
海水に石灰乳を添加して脱炭酸すると、海水中の炭酸ガス分が添加した石灰乳に相当する炭酸カルシューム量の倍以上の炭酸カルシュームが生成されることを利用して、海水に炭酸カルシューム培焼時の排ガスと他の炭酸ガス発生施設から出た同量以上の炭酸ガスを吹込み、培焼した石灰全量を乳化して海水に添加し、吸収された炭酸ガス分を炭酸カルシュームとして沈殿させて、海水を元の炭酸ガス分含有量に戻して放流し、沈殿した炭酸カルシュームの半量以上を廃棄、半量以下を再び培焼して海水の脱炭酸ガス用にすることによる炭酸ガス固定化除去システム。
【発明の詳細な説明】
【技術分野】
【０００１】  本発明は海水に石灰乳を添加して脱炭酸すると、海水中の炭酸ガス分が添加した石灰乳に相当する炭酸カルシューム量の倍以上の炭酸カルシュームが生成されることを利用して、炭酸カルシューム培焼時の炭酸ガスを海水に吹き込み、培焼した石灰を乳化して添加し、炭酸ガスを排出せずに造った石灰を他の炭酸ガス発生施設の脱炭酸ガス用にしたり、海水に炭酸カルシューム培焼時の炭酸ガスと同量以上の他の炭酸ガス発生施設からの炭酸ガスを吹込めるシステムに関する。
【背景技術】
【０００２】    高純度水酸化マグネシュームを製造するため、海水に石灰乳を添加して脱炭酸すると石灰乳に相当する炭酸カルシュームの倍以上の炭酸カルシュームが生成されていた。
【発明の開示】
【発明が解決しようとする課題】
【０００３】    炭酸カルシューム培焼時の炭酸ガスを海水に吹き込み、培焼した石灰を乳化して添加し、添加した石灰乳に相当する炭酸カルシュームの倍以上の炭酸カルシュームに固定化して除去することにより、炭酸ガスを排出せずに石灰が造れたり、海水に炭酸カルシューム培焼時の倍以上の炭酸ガスを吹き込めるシステムを提供することである。
【課題を解決するための手段】
【０００４】    炭酸カルシュームの培焼時に発生した排ガスを海水に吹き込み、培焼した石灰を乳化して炭酸ガスを吸収した海水に添加し、添加した石灰乳に相当する炭酸カルシュームの倍以上の炭酸カルシュームを生成させて沈殿分離し、循環して培焼することを特徴とする。
【発明の効果】
【０００５】    本発明によれば、炭酸カルシュームを培焼した排ガスを海水に吹き込み、培焼した石灰を乳化して炭酸ガスを吸収した海水に添加し、添加した石灰乳に相当する炭酸カルシュームの倍以上の炭酸カルシュームを生成させることにより、炭酸ガスを排出せずに石灰が造れたり、海水に炭酸カルシューム培焼時の倍以上の炭酸ガスが吹き込めるようになる。
【発明を実施するための最良の形態】
【０００６】    以下、本発明を実施するための最良の形態について、以下説明する。【０００７】    図１は炭酸ガスを排出せずに、他の炭酸ガス発生施設の脱炭酸ガス用の石灰を造るためのフロー図である。【０００８】    図２は海水に炭酸カルシューム培焼時の倍以上の炭酸ガスが吹き込めるようにするためのフロー図である。
【実施例】
【０００９】    以下に他の炭酸ガス発生施設の脱炭酸ガス用の石灰を造るためのフロー図と海水に炭酸カルシューム培焼時の倍以上の炭酸ガスが吹き込めるようにするためのフロー図について説明する。
〔実施例１〕【００１０】    図１の沈殿槽は海面高さ近くに設置して海水汲み上げ電力の最小化を図り、沈殿した炭酸カルシュームはポンプで汲み上げるようにして設備費を最小化し、汲み上げた炭酸カルシュームは高圧加圧脱水して流動培焼炉で培焼し、培焼時の燃料使用量が最小になるようにしたものである。
〔実施例２〕【００１１】    図２は高圧加圧脱水した炭酸カルシュームを廃棄することにより、運搬費の削減、廃棄先の処理が容易になるようにしたものである。
【図面の簡単な説明】
【００１２】
【図１】  炭酸ガスを排出せずに、他の炭酸ガス発生施設の脱炭酸ガス用の石灰を造るためのフロー図である。
【図２】  海水に炭酸カルシューム培焼時の倍以上の炭酸ガスが吹き込めるようにするためのフロー図である。
【符号の説明】
【００１３】１    流動培焼炉
２    石灰
３    工業用水
４    石灰乳
５    海水
６    沈殿槽
７    放流
８    ポンプ
９    高圧加圧脱水機
１０  炭酸カルシューム
１１  排ガス
１２  廃棄
１３  炭酸ガス発生施設
【図１】
2009297699.tif 000003
【図２】
2009297699.tif 000004
(57)【要約】【課題】携帯電話の文字を見やすくし、携帯電話とレンズが傷つかないストラップ付レンズ入りケースを提供する。【解決手段】レンズにケースを付けストランプに連結し、文字を大きく見やすくするようにしたことを特徴とするストラップ付レンズ入りケース。【選択図】図１
2009022698.tif 000002
【特許請求の範囲】
【請求項１】
レンズ入りケースにストラップを取り付けることにより、携帯電話機の文字を大きく見やすくしたことを特徴とするストラップ付レンズ入りケース。
【発明の詳細な説明】
【技術分野】
【０００１】  本発明は、携帯電話の文字を見やすくするレンズ入りケースにストラップを取り付けたストラップ付レンズ入りケースに関するものである。
【背景技術】
【０００２】  従来、レンズ付携帯ストラップがあった。また、文字を大きく見せる携帯できるレンズがあった。
【発明の開示】
【発明が解決しようとする課題】
【０００３】    そのために、次のような問題点があった。
（イ）携帯電話とレンズがぶつかり両方に傷が付く。
（ロ）携帯できるレンズはすぐに取り出して使えない。
本発明は以上の問題点を解決しようとするものである。
【課題を解決するための手段】
【０００４】    レンズにケースを付ける事により携帯電話とレンズを保護し、上記問題点を解決するためのストラップ付レンズ入りケースである。
【発明の効果】
【０００５】  本発明は、携帯電話の文字を見る際、小さい文字を見やすくし、更にケースを付ける事により、携帯電話とレンズの両方を傷から守る効果がある。
【発明を実施するための最良の形態】
【０００６】  以下、本発明の実施の形態を説明する。
（イ）レンズ（１）入りケース（２）を止め具（４）で取り付ける。
（ロ）止め具（４）を介してストラップ（３）とバネ（５）を取り付ける。
本発明は、以上の構成よりなっている。
本発明を使用する時は、携帯電話に取り付け、文字を見る時はケース（２）からレンズ（１）を取り出し携帯電話に近づけて使用する。
なお、バネ（５）を付ける事により、バネが伸びるので使いやすい。
【図面の簡単な説明】
【０００７】
【図１】本発明の正面図
【図２】本発明の使用状態を示す図
【符号の説明】
【０００８】      １  レンズ
２  ケース
３  ストラップ
４  止め具
５  バネ
【図１】
2009022698.tif 000003
【図２】
2009022698.tif 000004
(57)【要約】【課題】  寝具を電気掃除機にて掃除するときに、気密性が高く厚みがある寝具であっても、寝具の上を前後左右自由に移動できる電気掃除機の寝具用吸込具を提供する。【解決手段】  本体を、底面が略平らで且つ上面が開口した洗面器状とし、本体の底面に吸引穴を設け、該吸引穴を覆うように複数の小穴を有する吸引穴カバーを設け、また該吸引穴カバーの下面に下方に突出した突起を設け、さらに吸引穴カバーの上面を椀状のフードで覆い、該フードの一部を開口して電気掃除機のホース先端に接続するための接続パイプを連接してなる。  以上を特徴とする電気掃除機の寝具用吸込具。【選択図】図１
2009022694.tif 000002
【特許請求の範囲】
【請求項１】
電気掃除機における吸込具本体を、底面が略平らで且つ上面が開口した洗面器状とし、吸込具本体の底面に吸引穴を設け、該吸引穴を覆うように複数の小穴を有する吸引穴カバーを設け、また該吸引穴カバーの下面に下方に突出した突起を設け、さらに吸引穴カバーの上面を椀状のフードで覆い、該フードの一部を開口して電気掃除機のホース先端に接続するための接続パイプを連接してなる電気掃除機の寝具用吸込具。
【請求項２】
放射状に複数の支軸を設け、該支軸の下面に支軸の交点を中心として同心円状に下方に突出した複数の環状突起を配置し、これら支軸および環状突起の隙間が複数の小穴となる吸引穴カバーを設けた、請求項１の電気掃除機の寝具用吸込具。
【発明の詳細な説明】
【技術分野】
【０００１】  本発明は、掛け布団や敷き布団などの寝具を掃除するための、電気掃除機の寝具用吸込具に関するものである。
【背景技術】
【０００２】  従来、電気掃除機にて寝具を掃除する場合、寝具用吸込具を使用することが多く、これらは、寝具と接する下面にローラーを設けることで寝具表面との摩擦を軽減するものが一般的である。そのため、前後方向の移動しかできず、吸込具を寝具の上で前後左右に自由に移動させて掃除することが難しいものとなっている。また、ローラーを要することから、吸込具自体の製造方法も煩雑である。
さらに、羽毛布団のような厚みがあり気密性の高い寝具を掃除するときには、吸込具自体が寝具に埋もれてしまい吸込具を移動させることが容易ではなく、掃除の効率が非常に悪いものとなっている。
【発明の開示】
【発明が解決しようとする課題】
【０００３】  そのために、次のような問題点があった。
（イ）ローラー式の吸込具では、吸込具を寝具の上で前後左右自由に移動させて掃除することが容易ではなかった。
（ロ）ローラー式の場合、その機構から吸込具自体の製造方法が煩雑であった。
（ハ）羽毛布団のように厚みがあり気密性の高い寝具を掃除する場合、吸込具自体が寝具に埋もれてしまい吸込具の移動が容易ではなく、掃除の効率が非常に悪かった。
本発明は、以上の問題点を解決するためになされたものである。
【課題を解決するための手段】
【０００４】  本体を、底面が略平らで且つ上面が開口した洗面器状とし、本体の底面に吸引穴を設け、該吸引穴を覆うように複数の小穴を有する吸引穴カバーを設け、また該吸引穴カバーの下面に下方に突出した突起を設け、さらに吸引穴カバーの上面を椀状のフードで覆い、該フードの一部を開口して電気掃除機のホース先端に接続するための接続パイプを連接してなる。
以上を特徴とする電気掃除機の寝具用吸込具である。
【発明の効果】
【０００５】  本発明は、寝具を電気掃除にて掃除するときに、吸込具を寝具の上で前後左右自由に移動させることができるようにするものである。
また、羽毛布団のような厚みがあり気密性の高い寝具であっても、吸込具が寝具に埋もれることなく容易に掃除が可能となる。
さらに、機構が簡単であることから、製造方法が容易である。
【発明を実施するための最良の形態】
【０００６】  以下、本発明の実施の形態を説明する。
（イ）本体（１）は、摩擦が小さく軽くて強いプラスチックからなり、底面が略平らで上面が開放されており、全体は洗面器状である。
（ロ）本体（１）の底面中央部に、円形の吸引穴（２）を設ける。
（ハ）吸引穴（２）を覆うように、円形の吸引穴カバー（３）を設ける。
（ニ）吸引穴カバー（３）は、中心角４５度で交差する４本の支軸（４）、および支軸（４）の交点を中心として支軸（４）の下面に同心円状に複数配置される下方に突出した環状突起（５）からなる。また、下方に突出した環状突起（５）の下端は、寝具の表面を強く引っかけないよう丸みを帯びた縦断面形状とする。
（ホ）吸引穴カバー（３）において、支軸（４）および環状突起（５）の隙間は、複数の小穴（６）を構成する。
（ヘ）椀状のフード（７）を、吸引穴カバー（３）の上面を覆うように設ける。
（ト）フード（７）の横を開口して調節窓（８）を設け、この調節窓（８）の開口量を調節するための調節スライド（９）を設ける。
（チ）調節窓（８）とは別に、フード（７）の一部を開口してパイプ接続口（１０）を設け、ここに接続パイプ（１１）を取り付ける。接続パイプ（１１）は、本体（１）の内側にも固定する。
（リ）接続パイプ（１１）の接続アタッチメント（１２）は、各種規格の電気掃除機に合わせるため接続部分をテーパー形状とする。
本発明は、以上の構成よりなっている。
本発明を使用するときは、電気掃除機のホースの先端に接続アタッチメント（１２）を差し込んで取り付ける。
本体（１）の形状が、底面が平らな洗面器状であり、且つ摩擦の小さい材料からなるため、寝具の上を前後左右自由に移動して掃除することができる。また、本体（１）の縦断面が、高さがあり曲面形状であることから、気密性が高く厚い寝具であっても、本体（１）の外面が寝具を滑らかに押し下げ、本体（１）が寝具に埋もれることなく効率的に掃除することができる。
寝具表面に付着しているゴミは環状突起（５）によって掻き出され、順に小穴（６）、フード（７）、パイプ接続口（１０）、接続パイプ（１１）、接続アタッチメント（１２）を通じて掃除機に吸い込まれる。
吸引力が過大であると、寝具表面が吸引穴カバー（３）に強く吸い付けられ吸込具の移動が困難になることから、調節スライド（９）によって調節窓（８）の開口量を調節することで吸引力を調節する。
【図面の簡単な説明】
【０００７】
【図１】本発明の斜視図
【図２】本発明の分解斜視図
【図３】本発明の平面図
【図４】Ａ−Ａ‘断面図
【図５】要部拡大平面図
【図６】要部拡大底面図
【図７】Ｂ−Ｂ‘断面図
【図８】本発明の使用状態を示す側面図
【符号の説明】
【０００８】  １  本体
２  吸引穴
３  吸引穴カバー
４  支軸
５  環状突起
６  小穴
７  フード
８  調節窓
９  調節スライド
１０  パイプ接続口
１１  接続パイプ
１２  接続アタッチメント
【図１】
2009022694.tif 000003
【図２】
2009022694.tif 000004
【図３】
2009022694.tif 000005
【図４】
2009022694.tif 000006
【図５】
2009022694.tif 000007
【図６】
2009022694.tif 000008
【図７】
2009022694.tif 000009
【図８】
2009022694.tif 000010
(57)【要約】【課題】      大根の千切りが一度の作業で均一に出来る事を課題とした。【解決手段】  包丁本体に対して直角方向に立ち上った刃を多く設ける事により一度に二方向にカット出来る事を解決手段とした。【選択図】図１
2009022695.tif 000002
【特許請求の範囲】
包丁本体から直解方向に立ち上った刃を多く有する事を特徴とする千切り包丁
【発明の詳細な説明】
【技術分野】
【０００１】  大根の千切りに関するものである
【背景技術】
【０００２】  従来、大根の千切りを作るには大根を輪切りにしてから、積み重ねてカットして大根の千切りを作っていた。
【発明の開示】
【発明が解決しようとする課題】
【０００３】  本考案は大根の千切りを作るのに２回の作業が必要であったが一回の作業で千切りが作れるようにする事を課題とした。
【課題を解決するための手段】
【０００４】  包丁本体に、図面１，２，３，に示すように、包丁本体から直角方向に立ち上った多くの刃を取り付ける事により一度の作業で千切りが出来る事を解決する為の手段とした。
【発明の効果】
【０００５】  大根の輪切りの作業がなくなり、一度の作業で千切りが出来る。サイズも均一に出来る。一度の作業で全く異なる方向にカット出来る。大量に作るのに特に適している。
生活習慣病、野菜不足の解消に役立つ。
【発明を実施するための最良の形態】
【０００６】  図面１，２，３，は細長い包丁の右面に直角方向に立ち上った刃を多く設けた、千切り包丁である。大根を輪切りの要領でカットすれば一度の作業で千切りが出来る。
【図面の簡単な説明】
【０００７】
【図１】  包丁本体の正面図である
【図２】  包丁本体の平面図である
【図３】  刃の斜視図である
【符号の説明】
【０００８】  １      包丁本体
２      刃
３      取手
【図１】
2009022695.tif 000003
【図２】
2009022695.tif 000004
【図３】
2009022695.tif 000005
(57)【要約】【課題】  様々な形状の食器等を洗う時でも、一つのスポンジで無理なく効率よく対応できる。  形状自在スポンジを提供する。【解決手段】  角柱、円柱等の細長いスポンジと、スポンジ内部に設けられた芯材とにより構成され、スポンジの形状を変化させたときに、その変化したスポンジの形状が芯材によって保持することができることを特徴とする形状自在スポンジ。【選択図】図１
2009022700.tif 000002
【特許請求の範囲】
【請求項１】
角柱、円柱等の細長いスポンジと、スポンジ内部に設けられた芯材とにより構成され、スポンジの形状を変化させたときに、その変化したスポンジの形状が芯材によって保持することができることを特徴とする形状自在スポンジ。
【発明の詳細な説明】
【技術分野】
【０００１】  本発明は、食器等を洗う時に使用するもので、様々な形状の食器でも、その形状に合わせることで対応できる形状自在スポンジに関するものである。
【背景技術】
【０００２】  従来のスポンジは、皿や茶碗のような平らな食器等を洗う時は、従来通り対応するが、コップや急須のような底の深い食器等を洗う時は、底まで届かないことが多いため、コップ専用の食洗道具を用いて食器等を洗っている。また、皿や茶碗などを洗い終わったスポンジに、まだ洗剤が付着して泡立って他の食器等を洗うことができる時でも、その泡を洗い流してコップ専用の食洗道具に持ち変えて対応している。
【発明の開示】
【発明が解決しようとする課題】
【０００３】  そのために、次のような問題点があった。
（イ）皿や茶碗などを洗った後、まだ泡立っているスポンジを使ってコップや急須などを洗う時、あと少しで底まで届くところが届かないため、無理をして手や指などを痛めてしまうことがある。
（ロ）皿や茶碗などを従来のスポンジで洗った後、専用の食洗道具を使ってコップを洗い、また皿や茶碗など従来のスポンジで洗う場合などは、大変、効率が悪い。
（ハ）まだ食器等を十分に洗えるほど泡立ってるスポンジの泡を洗い流して、別の食洗道具に変えて対応するということは、非常に不経済である。
本発明は以上の問題点を解決しようとするものである。
【問題を解決するための手段】
【０００４】  角柱、円柱等の細長いスポンジと、スポンジ内部に設けられた芯材とにより構成され、スポンジの形状を変化させたときに、その変化したスポンジの形状が芯材によって保持することができることを特徴とする形状自在スポンジ。
【発明の効果】
【０００５】  本発明は、角柱・円柱等の細長いスポンジと、スポンジ内部に設けられた芯材とで構成されていて、そのスポンジの形状が変化するため、一つのスポンジで様々な形状の食器等を洗う時に対応出来る。
従来のスポンジで食器等を洗う時、様々な形状の食器等に対応出来ないため、無理をして手や指を痛めていたが、スポンジの形状を変化させることで、様々な食器等に対応できるため、無理なく食器等を洗うことが出来る。また、食洗道具を替えて対応する時でも、まだ、洗剤で泡立って食器等が洗える状態で交換する場合もあるため、非常に不経済である。
したがって、本発明は、一つのスポンジで無理なく効率よく節約できる効果がある。
【発明を実施するための最良の形態】
【０００６】  本発明の第１の実施の形態を説明する。
（イ）角柱のスポンジ（１）のほぼ中心部に針金や形状保持性のある樹脂等の芯材（２）を設ける。なお、スポンジは、軸方向に長いものであれば円柱形等でも問題なく、端部が円錐、角錐のように細くなっている形状等でも問題ない。
（ロ）図面では、芯材（２）は、角柱のスポンジ（１）の全体に通してあるが、不連続であっても形状が保持できる程度に設ければ問題ない。
（ハ）角柱のスポンジ（１）の側面、側面の一部、若しくは全面に、角柱のスポンジ（１）と異なる網目等のものや研磨材入り不織物等の素材を設けても問題ない。
本発明は、以上の構成よりなっている。
本発明を使用するときは、様々な形状の食器等に対応できるように、本発明の形状を変化させて使用する。
【発明の異なる形態】
【０００７】  本発明の第２の実施の形態について説明する。
前記、第１の実施の形態と主に異なる点は、角柱スポンジ（１）の少なくとも一方の端部に、ブラシ（４）を設けた点である。なお、ブラシ（４）は角柱スポンジ（１）に固定的に設けても、接続具（５）を介して着脱自在に設けてもよい。このように構成した第２の実施の形態でも、前記、第１の実施の形態と同様の作用効果が得られる。
【図面の簡単な説明】
【０００８】
【図１】本発明の第１の実施の形態の斜視図
【図２】本発明の第１の実施の形態の断面図
【図３】本発明の第１の実施の形態の変形状態を示す断面図
【図４】本発明の第１の実施の形態の使用状態を示す斜視図
【図５】本発明の第２の実施の形態の斜視図
【図６】本発明の第２の実施の形態の断面図
【符号の説明】
【０００９】  １  スポンジ
２  芯材
３  コップ
４  ブラシ
５  接続具
【図１】
2009022700.tif 000003
【図２】
2009022700.tif 000004
【図３】
2009022700.tif 000005
【図４】
2009022700.tif 000006
【図５】
2009022700.tif 000007
【図６】
2009022700.tif 000008
(57)【要約】【課題】ランニングやウォーキングをしながら上半身を効果的に鍛えることを目的にするが、従来の手にウエイトを重力に反発し保持する方式によって生じる偏った負荷のかけ方を排除し、まんべんなく、全身の様々な筋肉を鍛えることができるトレーニング器具を提供すること。【解決手段】二つの手で持つダンベルを伸縮可能なバンド又はチューブ状の弾性体で結び、それを中空のウレタンやスポンジなどの緩衝材に通し肩に背負いランニングやウォーキングをするトレーニング器具【選択図】図１
2009022696.tif 000002
【特許請求の範囲】
【請求項１】
重さが一つ５００グラムから５キログラムの手で持つダンベル二つを伸縮可能なバンド又はチューブ状の弾性体でつないだもので、伸縮していない状態でその弾性体の長さは５０ｃｍから１１０ｃｍのトレーニング器具
【請求項２】
前記バンド又はチューブ状の弾性体を中空のウレタンやスポンジなどの緩衝材に通した請求項１記載のトレーニング器具。
【発明の詳細な説明】
【技術分野】
【０００１】  この発明は、トレーニング器具の形状に関する。
【背景技術】
【０００２】  従来より、ランニングやウォーキングの際に下半身だけでなく、上半身を鍛えるため手にダンベルなどのウエイトを保持し運動するという、トレーニングが一般に実施されている。これらの上半身のトレーニングは、重力に反発しウエイトを保持する。あるいは持ち上げたり、腕を振ることによりなされる。
【発明の開示】
【発明が解決しようとする課題】
【０００３】しかしながら、しかし、単にウエイトを手で保持しランニングやウォーキングをすると、腕の鍛錬のほとんどは重力に反発して上に持ち上げることに費やされ、上半身全体の効果的なトレーニングは出来ない。筋肉で言えば主に上腕二頭筋に負荷がかかることになる。また、一部の筋肉を酷使するため長い時間が経つに従いウエイトを保持するだけでも、困難な状態になる。しかし、野外でランニングやウォーキングをしている場合、それを放棄することができないというジレンマに陥る。【０００４】本発明の目的は、上記した問題点を解決するためになされたものであり、長時間のランニングやウォーキングで使用することも可能であり、上半身の様々な部位を効率よく鍛えられ、疲労した際に負荷を軽減しメリハリのあるトレーニングを可能とした。
【課題を解決するための手段】
【０００５】上記の目的を達成するため、請求項１に記載の発明は、二つの手で持つダンベルを伸縮可能なバンド又はチューブ状の弾性体で結び、それを肩に背負うことにより、二つのダンベルはダンベル自身の重力と弾性体の張力で上下バランスの取れた状態で保持することが可能である。その状態から上に持ち上げれば、上に持ち上げることに対し負荷がかかるトレーニングがなされ、下に押せば、弾性体の張力で下に押すことに対し負荷がかかるトレーニングがなされ、以下前方、後方、左右の動きに対しては、弾性体の張力と、ウエイトの慣性に対抗する負荷が生じ、上半身に対し前後、左右、上下とあらゆる方向に対し負荷をかけトレーニングすることが可能である。また、ダンベル自身の重力と弾性体の張力で上下バランスの取れた状態で保持すれば、負荷がかからないため、ランニングやウォーキング中に上半身が疲労した場合は、そのバランスが取れた状態で保持すれば、疲労を軽減することができる。ただのダンベルだけでは、疲労しても最後まで保持するか、途中で放棄するかの選択しかないが、本発明ではその心配はない。【０００６】また、請求項２に記載の発明は、バンド又はチューブ状の弾性体を中空のウレタンやスポンジに通すことにより、ランニングやウォーキング時に腕を振ることにより生じる肩や胸への弾性体伸縮時の擦を防止することができる。ゴムなどの弾性体が伸縮すると接触する体が擦れるが、中空のウレタンやスポンジをとおせば、ゴムなどの弾性体はその中を伸縮し、体に触れず、直接体に触れる中空のウレタンやスポンジは伸縮しないですむからである。
【発明の効果】
【０００７】請求項１，２の発明により、ランニングやウォーキングにともない、下半身のみならず、上半身を広範囲に鍛えることが出来、負荷のメリハリをつけ、また、体が擦れることがなく、快適にトレーニングをすることが可能となった。
【発明を実施するための最良の形態】
【０００８】この発明の一実施形態を、図１に示す。図１において、ダンベル１は一つ１．５キログラム。二つのダンベルをつなぐ、伸縮可能な弾性体２は８０ｃｍ。弾性体２を通す中空のウレタンまたはスポンジ等の緩衝材３は、７２ｃｍとした。【０００９】図２はダンベル１を左右の手で持ち中空のウレタンまたはスポンジ等の緩衝材３を肩に背負っている状態である。この状態でランニングやウォーキングを行う。【００１０】「他の実施形態」
図３は、ダンベルの他の実施形態である。ダンベルの形は手で握れ、バンド、紐、チューブ状の弾性体をつなげることが可能な形状であればよく、特定の形を指定するものではない。
【図面の簡単な説明】
【００１１】
【図１】この発明の一実施形態を示す斜視図である。
【図２】トレーニング器具の使用状態を示す説明図である。
【図３】トレーニング器具の他の実施形態である。
【図４】従来のレーニング器具を示す説明図である。
【符号の説明】
【００１２】    １  ダンベル        ２  伸縮可能なバンド又はチューブ状の弾性体、
３  中空のウレタンまたはスポンジ等の緩衝材
【図１】
2009022696.tif 000003
【図２】
2009022696.tif 000004
【図３】
2009022696.tif 000005
【図４】
2009022696.tif 000006
(57)【要約】【課題】ビール・発泡酒などをカップに注いだ時、微細でクリーミーな泡立ちと飲料物本来の味を長い時間堪能することが出来る陶磁器製カップ容器を提供する。【解決手段】本発明は透過性を有し、粒状性の粗い粘土で作られた内側容器の外側面と透過性を有しない外側容器の内側面とを密着接合することで泡の発生を促進させビール等の飲料物の浸潤を防止することを特徴とする陶磁器製カップ容器を提供する。【選択図】図１
2009022615.tif 000002
【特許請求の範囲】
【請求項１】
飲料物を入れる陶磁器製カップ容器(１)は粘土を基体とする陶磁器容器(1a)と陶磁器容器(1b)によって構成されることを特徴とする陶磁器製カップ容器。
【請求項２】
請求項１記載の陶磁器容器(1a)は透過性の無い粘土を基体として製作され、陶磁器容器(1b)は粒状性が大きく、透過性を有する粘土を基体として製作された陶磁器製カップ容器です。
【請求項３】
請求項２に示すとおり陶磁器容器(1a)を外側の容器とし、その内側面に陶磁器容器(1b)の外側面とを密着接合することを特徴とする陶磁器製カップ容器。
【発明の詳細な説明】
【技術分野】
【０００１】
本発明方法で作られた飲料物を入れるカップ容器であってビール・発泡酒などの飲料の泡が立つ飲料物を注ぐ陶磁器製カップ容器。
【背景技術】
【０００２】
従来から飲料物の容器としてプラスチック製、ガラス製、陶磁器製など素材の違う容器が利用されている。
【０００３】
カップ容器に関して（特許文献特開２００３−０２６１４０号）に開示されているポリエチレンとポリエチレンテレフタラート製との二層構造を特徴としている。
【特許文献１】特開２００３−２６１４０
【発明の開示】
【発明が解決しようとする課題】
【０００４】
前記のポリエステル・ガラス・陶磁器・プラスチックで構成されたカップ容器は、ビール・発泡酒など泡が立つ飲料物を注ぐと泡立ちが悪く、泡の粒子が大きいほど短時間で消えていく。このため前記飲料物中の炭酸ガス、旨み成分が泡に含まれず、空気と触れることによって短時間で泡の消失が進み旨み(味)が長時間堪能できませんでした。
【課題を解決するための手段】
【０００５】
上記目的を達成するため性質の違う粘土を素材として、透過性の無い粘土を主として作られた陶磁器製容器(１a)を外側容器として、その外側容器の内側面と、粒状性の粗い粘土を素材として作られた陶磁器製容器(１b)の外側面とを密着接合することを特徴とする陶磁器製カップ容器。
【発明の効果】
【０００６】
以上のように、本発明においては、カップ容器全体の形状を構成する粘土を基体とする陶磁器製外側容器と陶磁器製内側容器との密着接合によって構成された陶磁器製カップ容器は微細でクリーミーな泡立ちによって飲料物本来の旨み成分を閉じ込め長時間堪能することができる陶磁器製カップ容器を提供することができる。
【発明を実施するための最良の形態】
【０００７】
図１において、上記記載の外側容器(１a)は透過性の無い粒状性の微細な粘土で構成されている。内側容器(1ｂ)は透過性を有する粒状性の荒い粘土で構成されている。
図１（ｂ）に示すように、上記記載の外側容器(１a)の内側面に、内側容器(1b)の外側面とを密着接合することで二重構造(１)の陶磁器製カップ容器が構成されます。図１（ｂ）では図の簡単化のため斜めの容器形状をまっすぐに記載している。
【０００８】
この陶磁器製容器(１)にビール・発泡酒・泡の立つ飲料物を注ぎ込むと、内側容器(1b)の内側面は粒状性の粗い透過性を有しておりますので、粒子の間の空気の粒によって注がれたビール・発泡酒・泡の立つ飲料水は、泡化が増幅されます。また、透過性を有しておりますので深く浸透することで更に、空気の粒によって泡化が増幅されます。
この浸透作用が泡立ちの良い微細でクリーミーな泡となります。
【０００９】
陶磁器製容器(1a)と陶磁器製容器(1b)とは密着接合しておりますので内側容器より浸透した液体は浸透性の無い外側容器によって遮断されます。
これによって内側容器の中の粒子に含まれる空気の流失が無いため注がれたビール・発泡酒・泡の立つ飲料物の泡は粒子の中の空気以外に触れることがないため泡の崩れが起こりません、このため泡の持続時間が長く保たれます。
【００１０】
この陶磁器製カップ容器は性質の違う粘土で構成されているため、人の手による体温が伝わりにくくなり、ビール・発泡酒・泡の立つ飲料物の温度は持続されます。
【００１１】
（泡立ち試験）陶磁器製カップ(検体１)とガラスカップ(検体２)に対し、一度に350ml全量のビールを静かに注いだものです。
経時変化によるビールの液体の量と泡の占める体積を計測することで泡の消失量を検出しました。
【００１２】
この結果図２の表に示すように注入直後の泡の体積は陶磁器製容器(45.5%)・ガラスカップ(39.0%)共に大きな差は見られません。
その後1分後共に減少しますが泡の体積は、陶磁器製容器で(28.6%)・ガラスカップで(35%)  さらに3分後、陶磁器製容器は(28%) ガラスカップは(8.0%)  4分後は陶磁器製容器は変化はありませんが、ガラスカップは(1%)とほとんど泡の存在が見られなくなりました。その後20分まで計測しましたが陶磁器製容器は泡が(28%)を維持しておりました。
【００１３】
このような著しい試験結果が示されたことで、微細でクリーミーな泡立ちがよりビールの旨み成分を長時間に亘り維持することのできる陶磁器製カップ容器を提供することができるのです。
【００１４】
上記記載の外側容器(１a)の内側面に、内側容器(1b)の外側面とを密着接合することで二重構造(１)の陶磁器製容器が構成されます。
【００１５】
この陶磁器製容器(１)にビール・発泡酒・泡の立つ飲料物を注ぎ込むと、内側容器(1b)の内側面は粒状性の粗い透過性を有しておりますので、粒子の間の空気の粒によって注がれたビール・発泡酒・泡の立つ飲料水は、泡化が増幅されます。また、透過性を有しておりますので深く浸潤することで更に、空気の粒によって泡化が増幅されます。
この浸潤作用が泡立ちの良い微細でクリーミーな泡となります。
【００１６】
陶磁器製容器(1a)と陶磁器製容器(1b)とは密着接合しておりますので内側容器より浸潤した液体は浸透性の無い外側容器によって遮断されます。
これによって内側容器の中の粒子に含まれる空気の流失が無いため注がれたビール・発泡酒・泡の立つ飲料物の泡は粒子の中の空気以外に触れることがないため泡の崩れが起こりません、このため泡の持続時間が長く保たれます。
【００１７】
この陶磁器製カップ容器は性質の違う粘土で構成されているため、人の体温が伝わりにくくなり、ビール・発泡酒・泡の立つ飲料物の温度は持続されます。
【図面の簡単な説明】
【００１８】
【図１】本発明のカップ容器の実施例を示す構成図。          (a)全体図および1部断面図            (b)二種類粘土の密着接合部分の断面図
【図２】泡立ち試験の測定結果を示す図表。
【符号の説明】
【００１９】
１      ……  陶磁器製カップ容器
１a      ……  外側容器
１b      ……  内側容器 
【図１】
2009022615.tif 000003
【図２】
2009022615.tif 000004